(57)【要約】【課題】伝達時の伝達先の指定を不要としながら、どのようなタイミングであっても指定イベントが発生した際にメッセージ・データを指定された受け取り指定者に伝達する。【解決手段】メッセージ・データ伝達システム１０は、指定イベント連携部１３、メッセージ・データファイル格納部１８、およびメッセージ・データ伝達部１４を有する。指定イベント連携部１３は、通信回線２０を介してマイナンバーシステム５０に蓄積される伝達依頼者の個人情報を検索し、依頼者が指定した指定イベントが発生したか否かを判定する。メッセージ・データファイル格納部１８は、伝達依頼者毎に登録されたメッセージ・データを格納する。メッセージ・データ伝達部１４は、指定イベント連携部１３が指定イベントの発生を確認すると、伝達依頼者が依頼したメッセージ・データをメッセージ・データファイル格納部１８から取得し、該メッセージ・データを有形化して出力する。【選択図】図１
2016004322.tif 000002
【特許請求の範囲】
【請求項１】
通信回線を介して接続される情報システムに蓄積される伝達依頼者の個人情報を検索し、前記伝達依頼者によって指定された指定イベントが発生したか否かを判定する指定イベント判定部と、
前記伝達依頼者毎に登録されたメッセージ・データを格納するメッセージ・データ格納部と、
前記指定イベント判定部が指定イベントの発生を確認した際に、前記伝達依頼者が依頼したメッセージ・データを前記メッセージ・データ格納部から取得し、取得した前記メッセージ・データを有形化して出力するメッセージ・データ伝達部と、
を有する、メッセージ・データ伝達システム。
【請求項２】
請求項１記載のメッセージ・データ伝達システムにおいて、
前記指定イベント判定部が検索する前記個人情報は、マイナンバー制度において登録された個人情報である、メッセージ・データ伝達システム。
【請求項３】
請求項２記載のメッセージ・データ伝達システムにおいて、
前記メッセージ・データ伝達部が発生を確認する指定イベントは、前記マイナンバー制度において登録された前記個人情報に含まれる戸籍に関する届け出である、メッセージ・データ伝達システム。
【請求項４】
請求項２記載のメッセージ・データ伝達システムにおいて、
さらに、前記メッセージ・データ伝達部は、前記指定イベント判定部が指定イベントの発生を確認した際に、前記マイナンバー制度において登録された前記個人情報から、前記メッセージ・データを受け取る受け取り指定者の配送先を示す配送先情報を取得し、有形化した前記メッセージ・データに前記配送先情報を付加して出力する、メッセージ・データ伝達システム。
【請求項５】
請求項１記載のメッセージ・データ伝達システムにおいて、
さらに、前記メッセージ・データを前記メッセージ・データ格納部に格納する際に、前記伝達依頼者の個人認証を行う情報処理部を有し、
前記情報処理部は、前記伝達依頼者が入力した個人情報と前記情報システムに蓄積される前記伝達依頼者の個人情報とを照合し、一致した際に前記伝達依頼者が依頼する前記メッセージ・データを前記メッセージ・データ格納部に格納する、メッセージ・データ伝達システム。
【請求項６】
指定イベントが発生したか否かを判定する指定イベント判定部と、伝達依頼者が依頼したメッセージ・データを格納するメッセージ・データ格納部と、前記メッセージ・データを有形化するメッセージ・データ伝達部と、前記伝達依頼者の個人認証を行う情報処理部と、を備えたコンピュータシステムによるメッセージ・データの伝達方法であって、
前記指定イベント判定部が、通信回線を介して接続される情報システムに蓄積される前記伝達依頼者の個人情報を検索し、前記伝達依頼者によって指定された指定イベントが発生したか否かを判定するステップと、
前記メッセージ・データ伝達部が、前記指定イベント判定部が指定イベントの発生を確認した際に、前記伝達依頼者から依頼されたメッセージ・データを前記メッセージ・データ格納部から取得するステップと、
前記メッセージ・データ伝達部が、取得した前記メッセージ・データを有形化して出力するステップと、
を有する、メッセージ・データ伝達方法。
【請求項７】
請求項６記載のメッセージ・データ伝達方法において、
前記情報システムに蓄積される前記個人情報は、マイナンバー制度において登録された個人情報である、メッセージ・データ伝達方法。
【請求項８】
請求項７記載のメッセージ・データ伝達方法において、
前記指定イベント判定部が発生を確認する指定イベントは、前記マイナンバー制度において登録された個人情報に含まれる戸籍に関する届け出である、メッセージ・データ伝達方法。
【請求項９】
請求項７記載のメッセージ・データ伝達方法において、
さらに、前記指定イベントの発生を確認した際に、前記メッセージ・データ伝達部が、前記マイナンバー制度において登録された前記個人情報から、前記メッセージ・データを受け取る受け取り指定者の配送先を示す配送先情報を取得して出力するステップを有する、メッセージ・データ伝達方法。
【請求項１０】
請求項６記載のメッセージ・データ伝達方法において、
さらに、前記情報処理部が、前記伝達依頼者が入力した個人情報と前記情報システムに蓄積される前記伝達依頼者の個人情報とを照合し、一致した際に前記伝達依頼者が依頼する前記メッセージ・データを前記メッセージ・データ格納部に格納するステップを有する、メッセージ・データ伝達方法。
【請求項１１】
指定イベントが発生したか否かを判定する指定イベント判定処理と、メッセージ・データを有形化して前記メッセージ・データを受け取る受け取り指定者に伝達するメッセージ・データ伝達処理と、をコンピュータシステムに実行させるプログラムであって、
前記指定イベント判定処理において、通信回線を介して接続される情報システムに蓄積される伝達依頼者の個人情報を検索し、前記伝達依頼者によって指定された指定イベントが発生したか否かを判定するステップと、
前記メッセージ・データ伝達処理において、前記指定イベントの発生を確認した際に、前記伝達依頼者から依頼されたメッセージ・データをメッセージ・データ格納部から取得するステップと、取得した前記メッセージ・データを有形化して出力するステップと、
を有する、プログラム。
【請求項１２】
請求項１１記載のプログラムにおいて、
前記指定イベントは、マイナンバー制度において登録された個人情報を照合して判定する、プログラム。
【請求項１３】
請求項１２記載のプログラムにおいて、
発生を確認する前記指定イベントは、前記マイナンバー制度において登録された個人情報に含まれる戸籍に関する届け出である、プログラム。
【請求項１４】
請求項１２記載のプログラムにおいて、
さらに、前記メッセージ・データ伝達処理は、前記指定イベントの発生を確認した際に、前記マイナンバー制度において登録された前記個人情報から、前記メッセージ・データを受け取る受け取り指定者の配送先を示す配送先情報を取得して出力するステップを有する、プログラム。
【請求項１５】
請求項１１記載のプログラムにおいて、
さらに、前記メッセージ・データを前記メッセージ・データ格納部に格納する際に、前記伝達依頼者の個人認証を行う認証処理を有し、
前記認証処理は、前記伝達依頼者が入力した個人情報と前記情報システムに蓄積される前記伝達依頼者の個人情報とを照合し、一致した際に前記伝達依頼者が依頼する前記メッセージ・データを前記メッセージ・データ格納部に格納するステップを有する、プログラム。
【発明の詳細な説明】
【技術分野】
【０００１】
本発明は、メッセージ・データ伝達システム、メッセージ・データ伝達方法およびプログラムに関し、特に、マイナンバーシステムを利用したメッセージ・データの伝達に有効な技術に関する。
【背景技術】
【０００２】
メッセージやデータなどを伝達する技術としては、例えば電子メールなどが広く用いられている。しかし、電子メールなどを用いる場合、送信者と受け取り者が厳格に個人認証されているわけではなく、なりすましなどによってメッセージを送受信される恐れなどが生じてしまう可能性がある。このため、電子メールなどは、秘密性の高いデータなどを送信する技術として不向きである。
【０００３】
自筆証書、公正証書、あるいは秘密証書などの秘密性の高い公文書を送信する際には、データの改ざんなどを防止し、容易に第三者に該データなどが開示されないデータ管理を行うことのできるシステムが要求される。
【０００４】
この種の公文書などのデータ管理技術として、例えば遺言者の遺言内容をセキュリティ高く保持すると共に、遺族に対して遺言内容を確実に伝えることができるものがある（例えば特許文献１参照）。
【０００５】
この特許文献１には、次のような内容が開示されている。遺言者を特定するための情報と遺言者の遺言または遺言に関連する情報とを対応付けて格納手段に保持する。遺言者の死亡を確認するための書類の記載内容を認識して死亡した遺言者を特定するための情報を取得する取得手段を備える。
【０００６】
取得手段で取得した遺言者を特定するための情報と、格納手段に格納されている遺言者を特定するための情報とを照合して、死亡した遺言者を確認手段により確認する。確認された遺言者の遺言または遺言に関連する情報の開示を許可するための情報を、遺族に通知するための手段を設ける。
【先行技術文献】
【特許文献】
【０００７】
【特許文献１】特開２０１２−０７８８８３号公報
【発明の概要】
【発明が解決しようとする課題】
【０００８】
しかしながら、上記特許文献１の技術では、遺言の特性上自身が死亡し遺言メッセージを伝達するタイミングは、あらかじめ特定できない。そのため、遺言メッセージを伝達するタイミングを確認したり、伝達情報を調査および提供する別のシステムの運用などが必要となり、コストなどが大きくなってしまうという問題がある。
【０００９】
このように、伝達日付や伝達場所を伝達情報の発信時に指定することなく、あらかじめ指定された指定イベントと連動して１つのシステムにてメッセージやデータを送る仕組みは実現されていないことになる。
【００１０】
本発明の目的は、伝達時における伝達先の指定を不要としながら、どのようなタイミングで指定イベントが発生しても、メッセージ・データを指定された受け取り指定者に伝達することができる技術を提供することにある。
【００１１】
本発明の前記ならびにその他の目的と新規な特徴については、本明細書の記述および添付図面から明らかになるであろう。
【課題を解決するための手段】
【００１２】
本願において開示される発明のうち、代表的なものの概要を簡単に説明すれば、次のとおりである。
【００１３】
すなわち、代表的なメッセージ・データ伝達システムは、指定イベント判定部、メッセージ・データ格納部、およびメッセージ・データ伝達部を有する。指定イベント判定部は、メッセージ・データの伝達を依頼する伝達依頼者の個人情報を照合し、該個人情報に伝達依頼者によって指定された指定イベントが発生したか否かを判定する。
【００１４】
メッセージ・データ格納部は、伝達依頼者毎に登録されたメッセージ・データを格納する。メッセージ・データ伝達部は、指定イベント判定部が指定イベントの発生を確認した際に、伝達依頼者が依頼したメッセージ・データをメッセージ・データ格納部から取得し、取得したメッセージ・データを有形化して出力する。
【００１５】
また、本発明は、予め指定された指定イベントと連携してメッセージ・データを伝達依頼者が設定した受け取り指定者に確実に伝達するシステムによる方法や、前記システムとしてコンピュータシステムを機能させるプログラムにも適用することができる。
【発明の効果】
【００１６】
本願において開示される発明のうち、代表的なものによって得られる効果を簡単に説明すれば以下のとおりである。
【００１７】
（１）どのようなタイミングで指定イベントが発生してもメッセージ・データを受け取り指定者に伝達することができる。
【００１８】
（２）メッセージ・データを高精度にて受け取り指定者に伝達することができる。
【図面の簡単な説明】
【００１９】
【図１】本実施の形態によるメッセージ・データ伝達システムにおける構成の一例を示す説明図である。
【図２】図１のメッセージ・データ伝達システムによるメッセージ・データ伝達サービスの概略処理の一例を示す説明図である。
【図３】図１のデータベースが有するメッセージ・データファイル格納部に格納されるメッセージ・データファイルの一例を示す説明図である。
【図４】図１のデータベースが有するシステム情報ファイル格納部に格納されるシステム情報ファイルの一例を示す説明図である。
【図５】図１のメッセージ・データ伝達システムが有するシステム登録部による登録処理の一例を示すフローチャートである。
【図６】図５のステップＳ１０９の処理におけるメッセージ・データの登録処理の一例を示すフローチャートである。
【図７】図１のメッセージ・データ伝達システムが有する個人情報処理部による個人情報処理の一例を示すフローチャートである。
【図８】図１のメッセージ・データ伝達システムが有する指定イベント連携部によるメッセージ・データの連動処理の一例を示すフローチャートである。
【図９】図１のメッセージ・データ伝達システムが有するメッセージ・データ伝達部によるメッセージ・データの伝達処理の一例を示すフローチャートである。
【発明を実施するための形態】
【００２０】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２１】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２２】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２３】
以下、実施の形態を詳細に説明する。
【００２４】
〈メッセージ・データ伝達システムの構成例〉
図１は、本実施の形態によるメッセージ・データ伝達システム１０における構成の一例を示す説明図である。
【００２５】
メッセージ・データ伝達システム１０は、マイナンバーシステム５０と連携し、必要となる特定のイベントと連動して指定された受け取り者へメッセージ・データを伝達するサービスであるメッセージ・データ伝達サービスを行う。
【００２６】
マイナンバーシステム５０は、日本国籍を有する人に重複しないユニークな番号を付与し、その付番された番号に、例えば氏名、出生地、住所、性別、生年月日などの様々な個人情報を帰属させることにより、国民の個人情報を効率的に管理するシステムである。
【００２７】
メッセージ・データ伝達システム１０は、図１に示すように、個人情報処理部１１、システム登録部１２、指定イベント連携部１３、メッセージ・データ伝達部１４、システム操作部１５、配送部１６、およびデータベース１７を有する。
【００２８】
情報処理部となる個人情報処理部１１は、通信回線２０を介してマイナンバーシステム５０が有するマイナンバー情報提供部５１が接続されている。マイナンバー情報提供部５１は、マイナンバーシステム５０が有する個人情報ファイル格納部５２から個人情報を検索する。個人情報ファイル格納部５２には、マイナンバー制度によって取得された個人情報が格納されている。
【００２９】
個人情報処理部１１は、マイナンバー情報提供部５１が検索した個人情報を取得する。個人情報処理部１１が取得する個人情報は、メッセージ・データ伝達依頼者やメッセージ・データ受け取り指定者の個人情報である。
【００３０】
同じく情報処理部となるシステム登録部１２は、メッセージ・データ伝達依頼者の本人確認、メッセージ・データ受け取り指定者の確認、およびメッセージ・データなどを電子データ化し、データベース１７に格納する。
【００３１】
指定イベント判定部となる指定イベント連携部１３は、メッセージ・データ伝達依頼者に対して、メッセージ・データを伝達するイベントと指定されている指定イベントが発生していないか確認する。ここで、指定イベントとは、日本国内で提出が必要となる戸籍に関する各種届出であり、例えば転出、転入、婚姻、死亡などを指す。
【００３２】
メッセージ・データ伝達部１４は、指定イベントが発生したメッセージ・データを、例えばプリンタなどによって印刷して出力する有形化を行う。システム操作部１５は、画像やデータなどが表示されるモニタやデータなどを入力する入力部などからなる。配送部１６は、伝達する有形化されたメッセージ・データなどの配送を依頼する。
【００３３】
データベース１７は、メッセージ・データファイル格納部１８およびシステム情報ファイル格納部１９を有する。メッセージ・データ格納部となるメッセージ・データファイル格納部１８は、メッセージ・データファイルが格納されている。システム情報ファイル格納部１９は、メッセージ・データを指定された受け取り者に伝達する処理に必要な様々なデータからなるシステム情報ファイルが格納されている。
【００３４】
ここで、メッセージ・データとは、メッセージ・データ伝達システム１０によるメッセージ・データ伝達サービスにて扱う、メッセージやデータのことである。メッセージ・データは、テキストメッセージや、手書きの文書をスキャナで取り込みイメージファイル化する等、電子データとしたものを保管し、伝達するタイミングで有形化される。
【００３５】
メッセージ・データ伝達依頼者とは、メッセージ・データ伝達システム１０によるメッセージ・データ伝達サービスを利用する人である。このメッセージ・データ伝達依頼者は、メッセージ・データを預け、特定の人へメッセージ・データを発信する。
【００３６】
メッセージ・データ受け取り指定者とは、メッセージ・データ伝達システム１０によるメッセージ・データ伝達サービスを利用したメッセージ・データ伝達依頼者より指定される人であり、メッセージ・データを受信する人のことである。
【００３７】
〈メッセージ・データ伝達サービスの概略処理例〉
図２は、図１のメッセージ・データ伝達システム１０によるメッセージ・データ伝達サービスの概略処理の一例を示す説明図である。
【００３８】
メッセージ・データ伝達依頼者は、受付窓口にて個人を特定される。メッセージ・データ伝達サービスにおける受付窓口は、例えば自治体の役所などに設置される。この受付窓口において、メッセージ・データ預かりの受け付けなどのオペレーションが行われる。
【００３９】
続いて、メッセージ・データ伝達依頼者は、メッセージ・データ受け取り指定者を指定し、メッセージ・データをメッセージ・データファイル格納部１８に格納する。メッセージ・データ伝達システム１０は、メッセージ・データ伝達依頼者およびメッセージ・データ受け取り指定者の情報をマイナンバーシステム５０に照会する機能、およびメッセージ・データを登録する機能を有する。
【００４０】
また、メッセージ・データ伝達依頼者は、メッセージ・データを伝達するトリガとなる指定イベントを指定し、メッセージ・データを伝達する方法、例えば印刷して郵送や受付窓口での受け渡しなどについて指定する。
【００４１】
メッセージ・データ伝達システム１０においては、指定イベントが発生するか否かを確認してイベントが発生した際には、マイナンバーシステム５０からメッセージ・データ受け取り指定者の住所を確認し、メッセージ・データを有形化した後、メッセージ・データを伝達する。メッセージ・データの伝達は、上記指定されたメッセージ・データを伝達する方法にて伝達される。
【００４２】
メッセージ・データ伝達システム１０は、一定の間隔、例えば１日に１回以上の頻度などにおいて、指定イベントが発生していないかを調査する。指定イベントが発生しているかどうかは、マイナンバーシステム５０に照会する。
【００４３】
該当する指定イベントがあった場合は、伝達を行うための処理を実行する。そして、自治体の受け付け窓口にて、メッセージ・データの有形化や伝達などのオペレーションを行い、メッセージ・データ受け取り指定者へ伝達するための発送が行われる。
【００４４】
〈データベースのデータ例〉
図３は、図１のデータベース１７が有するメッセージ・データファイル格納部１８に格納されるメッセージ・データファイルの一例を示す説明図である。
【００４５】
メッセージ・データファイルは、図示するように、登録ＩＤ、メッセージ・データＩＤ、依頼者マイナンバー、メッセージ・データ区分１、メッセージ・データ１、メッセージ・データ区分２、メッセージ・データ２、メッセージ・データ区分３、メッセージ・データ３、システム利用状況、および特記事項などの項目を有する。
【００４６】
登録ＩＤは、メッセージ・データにおける登録時に付与される識別番号である。メッセージ・データＩＤは、メッセージ・データの識別番号である。依頼者マイナンバーは、メッセージ・データ伝達依頼者のマイナンバーである。
【００４７】
メッセージ・データ区分１〜３は、メッセージ・データの種類を示し、例えばテキストデータと画像データなどのメッセージ・データの種類毎に区分される。メッセージ・データ１〜３は、メッセージ・データ区分１〜３に区分されたメッセージ・データである。
【００４８】
システム利用状況は、依頼者毎の個別の利用状況が示される。特記事項は、受付窓口などにおいて、特記事項がある場合に、担当者などがシステム操作部１５などから入力する。
【００４９】
図４は、図１のデータベース１７が有するシステム情報ファイル格納部１９に格納されるシステム情報ファイルの一例を示す説明図である。
【００５０】
システム情報ファイルは、図４に示すように、登録ＩＤ、登録日、依頼者マイナンバー、依頼者氏名、依頼者生年月日、依頼者住所、依頼者連絡先、連動イベント、メッセージ・データＩＤ、受け取り指定者１マイナンバー、受け取り指定者１氏名、依頼者の続柄、受け取り指定者２マイナンバー、受け取り指定者２氏名、依頼者との続柄、システム利用状況、および特記事項などを有する。
【００５１】
登録ＩＤは、登録の識別番号であり、登録日は、メッセージ・データをメッセージ・データ伝達システム１０に登録した日時を示す。依頼者マイナンバーは、メッセージ・データ伝達依頼者のマイナンバーである。
【００５２】
依頼者氏名、依頼者生年月日、依頼者住所、および依頼者連絡先は、それぞれメッセージ・データ伝達依頼者の氏名、生年月日、住所、ならびに連絡先である。連動イベントは、メッセージ・データ伝達と連動するイベント、すなわち死亡や婚姻などの指定イベントである。
【００５３】
メッセージ・データＩＤは、メッセージ・データの識別番号である。受け取り指定者１マイナンバーは、メッセージ・データ受け取り指定者のマイナンバーであり、受け取り指定者１氏名は、その氏名である。依頼者の続柄は、メッセージ・データ伝達依頼者との続柄を示す。受け取り指定者２マイナンバー、受け取り指定者２氏名、および依頼者との続柄においても、同様である。システム利用状況、および特記事項は、図３と同様である。
【００５４】
続いて、メッセージ・データ伝達システム１０における動作処理の一例について、図５〜図９を用いて説明する。
【００５５】
なお、以下の図５〜図９により説明するメッセージ・データ伝達システム１０における確認／登録処理、個人情報処理、メッセージ・データの連動処理、およびメッセージ・データ伝達処理の各機能は、例えばメッセージ・データ伝達システム１０に設けられたプログラム格納メモリ（図示せず）などに記憶されているプログラム形式のソフトウェアを、該メッセージ・データ伝達システム１０が有する図示しないＣＰＵ（Central Processing Unit）などが実行することにより実現する。
【００５６】
図５は、図１のメッセージ・データ伝達システム１０が有するシステム登録部１２による確認／登録処理の一例を示すフローチャートである。
【００５７】
まず、システム登録部１２は、受付窓口において、システム操作部１５から入力されたメッセージ・データ伝達依頼者の個人情報を取り込み（ステップＳ１０１）、個人情報処理部１１を介してマイナンバーシステム５０に格納されているメッセージ・データ伝達依頼者の個人情報を取得する（ステップＳ１０２）。
【００５８】
システム登録部１２は、本人確認を行うために、ステップＳ１０２の処理にて取得した個人情報とステップＳ１０１の処理において入力されたメッセージ・データ伝達依頼者の個人情報とを照会し、本人であるか否かを判定する（ステップＳ１０３）。
【００５９】
ステップＳ１０１の処理にて入力されたメッセージ・データ伝達依頼者の個人情報が正しく、本人であることが確認できた場合、システム登録部１２は、システム操作部１５から入力されたメッセージ・データ伝達依頼者に関する情報を、図４に示すシステム情報ファイルとしてシステム情報ファイル格納部１９に登録する（ステップＳ１０４）。また、ステップＳ１０３の処理において、本人確認ができなかった場合には、確認／登録処理が終了となる。
【００６０】
続いて、システム登録部１２は、システム操作部１５によって入力されたメッセージ・データ受け取り指定者の個人情報を取り込む（ステップＳ１０５）。続いて、システム登録部１２は、個人情報処理部１１を介してマイナンバーシステム５０に格納されているメッセージ・データ伝達依頼者の個人情報を取得する（ステップＳ１０６）。
【００６１】
そして、システム登録部１２は、照会処理を行う（ステップＳ１０７）。この照会処理は、マイナンバーシステム５０から取得したメッセージ・データ受け取り指定者の個人情報とシステム操作部１５から入力されたメッセージ・データ受け取り指定者の個人情報とを照会する。これにより、システム登録部１２は、システム操作部１５から入力されたメッセージ・データ受け取り指定者の個人情報が正しいか否かを判定する。
【００６２】
ステップＳ１０７の処理において、システム登録部１２は、メッセージ・データ受け取り指定者の情報が正しいことを確認すると、システム操作部１５から入力されたメッセージ・データ受け取り指定者に関する情報を、ステップＳ１０４にて登録したシステム情報ファイルに追加して、システム情報ファイル格納部１９に格納する（ステップＳ１０８）。また、ステップＳ１０７の処理において、メッセージ・データ受け取り指定者の情報が正しくない場合には、確認／登録処理が終了となる。
【００６３】
続いて、システム登録部１２は、システム操作部１５から入力されたメッセージ・データをメッセージ・データファイル格納部１８に登録する（ステップＳ１０９）。これにより、メッセージ・データ伝達依頼者およびメッセージ・データ受け取り指定者の確認を、正確に行うことができるので、秘密性を保持することができる。
【００６４】
以上により、メッセージ・データの確認／登録処理が終了となる。
【００６５】
図６は、図５のステップＳ１０９の処理におけるメッセージ・データの登録処理の一例を示すフローチャートである。
【００６６】
システム登録部１２は、システム操作部１５から入力されたメッセージ・データを取り込み（ステップＳ２０１）、取り込んだメッセージ・データをメッセージ・データファイル格納部１８に登録する。その後、システム登録部１２は、取り込んだメッセージ・データに画像データがあるか否かを判定し（ステップＳ２０２）、画像データがある場合には、画像データの取り込みを行う（ステップＳ２０３）。
【００６７】
画像データの取り込みは、システム操作部１５によって行われ、システム登録部１２は、取り込んだ画像データを先に取り込んだメッセージ・データとともにメッセージ・データファイル格納部１８に格納する。また、ステップＳ２０２の処理において、画像データがない場合には、メッセージ・データの登録処理が終了となる。
【００６８】
図７は、図１のメッセージ・データ伝達システム１０が有する個人情報処理部１１による個人情報処理の一例を示すフローチャートである。
【００６９】
個人情報処理部１１は、通信回線２０を介してマイナンバーシステム５０にアクセスし、システム操作部１５などから入力されたメッセージ・データ伝達依頼者の個人情報を該マイナンバーシステム５０に対して出力する（ステップＳ３０１）。
【００７０】
マイナンバーシステム５０において、マイナンバー情報提供部５１は、受け取ったメッセージ・データ伝達依頼者の個人情報に基づいて個人情報ファイル格納部５２を検索し、合致する個人情報を抽出する。個人情報処理部１１は、マイナンバー情報提供部５１が抽出した個人情報を通信回線２０を介して取り込む（ステップＳ３０２）。
【００７１】
以上により、個人情報処理部１１による個人情報処理が終了となる。なお、取り込んだ個人情報は、システム登録部１２に出力され、図５のステップＳ１０３の処理が実行される。
【００７２】
図８は、図１のメッセージ・データ伝達システム１０が有する指定イベント連携部１３によるメッセージ・データの連動処理の一例を示すフローチャートである。
【００７３】
指定イベント連携部１３は、マイナンバーシステム５０から、指定イベントの判定に必要な情報である判定情報を取得する（ステップＳ４０１）。そして、指定イベント判定処理を実行する（ステップＳ４０２）。この指定イベント判定処理は、取得した判定情報から、すべてのメッセージ・データ伝達依頼者の指定イベント、すなわち図４のシステム情報ファイルにおいて設定されている指定イベントが発生していないか確認する処理である。
【００７４】
具体的には、指定イベント連携部１３が、メッセージ・データ伝達依頼者のマイナンバーに基づいて、マイナンバーシステム５０の個人情報を照合して指定イベントが発生していないか確認する。また、指定イベントの確認は、一定の間隔にて行われ、先に述べたように、例えば１日に１回以上の頻度などにおいて、指定イベントが発生していないかを確認する。
【００７５】
ステップＳ４０２の処理において、システム情報ファイルにて設定されている指定イベントが発生した場合（ステップＳ４０３）、指定イベント連携部１３は、指定イベントが発生したことをメッセージ・データ伝達部１４に知らせる（ステップＳ４０４）。
【００７６】
以上により、指定イベント連携部１３によるメッセージ・データの連動処理が終了となる。
【００７７】
図９は、図１のメッセージ・データ伝達システム１０が有するメッセージ・データ伝達部１４によるメッセージ・データ伝達処理の一例を示すフローチャートである。
【００７８】
メッセージ・データ伝達部１４は、指定イベント連携部１３から指定イベントが発生したことが通知されると、該当するメッセージ・データファイルを、図３に示すメッセージ・データファイル格納部１８から検索して抽出する。そして、抽出したメッセージ・データファイルに登録されているメッセージ・データを指定された形態に有形化する（ステップＳ５０１）。
【００７９】
続いて、メッセージ・データ伝達部１４は、有形化したメッセージ・データの配送先となるメッセージ・データ受け取り指定者の情報を、マイナンバーシステム５０より取得する（ステップＳ５０２）。
【００８０】
そして、有形化されたメッセージ・データとステップＳ５０２の処理にて取得した配送先情報を付加して配送部１６に配送依頼する（ステップＳ５０３）。
【００８１】
以上により、メッセージ・データ伝達部１４によるメッセージ・データ伝達処理が終了となる。
【００８２】
このように、メッセージ・データ伝達システム１０によれば、いつ発生するかわからない指定イベントであっても、指定イベントが発生した際には、該指定イベントと連動して依頼したメッセージ・データをメッセージ・データ受け取り指定者に伝達することができる。
【００８３】
メッセージ・データ伝達システム１０は、発生を確認する指定イベントを変更するだけで、様々な形態のメッセージ・データを伝達することができる。例えば、指定イベントを死亡（死亡届）とすることによって、いつかわからないが、自分の死が訪れた場合に、家族へ遺言やメッセージなどをメッセージ・データとして伝達することができる。
【００８４】
また、指定イベントを転出入（転出届、転入届）とすることによって、例えば消息が不明となった家族などが、どこかで転出入の手続きを行った場合、メッセージ・データを届けることができる。また、メッセージ・データの伝達依頼者にその連絡が送られるようにすることもできる。
【００８５】
さらには、結婚（婚姻届）や出産（出生届）などの未来に発生するであろう、自分の子供や孫などに対する結婚お祝いのメッセージや、自分の子供や孫に対して出産お祝いのメッセージを贈ることなどが可能となる。
【００８６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００８７】
１０  メッセージ・データ伝達システム
１１  個人情報処理部
１２  システム登録部
１３  指定イベント連携部
１４  メッセージ・データ伝達部
１５  システム操作部
１６  配送部
１７  データベース
１８  メッセージ・データファイル格納部
１９  システム情報ファイル格納部
２０  通信回線
５０  マイナンバーシステム
５１  マイナンバー情報提供部
５２  個人情報ファイル格納部
【図１】
2016004322.tif 000003
【図２】
2016004322.tif 000004
【図３】
2016004322.tif 000005
【図４】
2016004322.tif 000006
【図５】
2016004322.tif 000007
【図６】
2016004322.tif 000008
【図７】
2016004322.tif 000009
【図８】
2016004322.tif 000010
【図９】
2016004322.tif 000011